【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
チューリング完全インタープリタ内で命令を実行するデバイス内に含まれる不揮発性デジタルストレージへのアクセスを規制するための方法であって、
（ａ）実行されている前記命令から要求を受信するステップであって、前記要求は、
（ｉ）アクセスが要求される前記不揮発性デジタルストレージの一部分と、
（ｉｉ）複数の追加の実行可能命令と
を指定するステップと、
（ｂ）暗号化ハッシュ関数を前記追加の実行可能命令に適用して、ハッシュ値を得るステップと、
（ｃ）前記ハッシュ値を認証するステップと、
（ｄ）前記認証が成功したならば、前記追加の実行可能命令を実行している間に、実行されている前記命令による、前記不揮発性デジタルストレージの前記要求された一部分へのアクセスを可能にするステップと
を備えたことを特徴とする方法。
【請求項２】
前記認証するステップは、前記ハッシュ値と、前記不揮発性デジタルストレージ内に格納されたハッシュ値とを比較するステップを含むことを特徴とする請求項１に記載の方法。
【請求項３】
前記認証するステップは、実行されている前記命令によって提供されるデジタル署名を検証するステップを含むことを特徴とする請求項１に記載の方法。
【請求項４】
前記要求は、前記デバイス内に含まれる、実行されている前記命令によってアクセス可能なメモリにおける、前記追加の実行可能命令に対するポインタを含むことを特徴とする請求項１に記載の方法。
【請求項５】
複数のデバイスアーキテクチャのいずれかで再生するための暗号化されたオーディオビジュアルコンテンツを含むデジタル光ディスクメディアであって、前記デジタル光ディスクメディアはプログラムロジックを備え、前記プログラムロジックは、
（ａ）前記プログラムロジックを実行するデバイスの少なくとも１つの特性を識別し、
（ｂ）複数のセキュリティ弱点がある場合、前記少なくとも１つの特性を使用して、前記複数のセキュリティ弱点のうちのどれが前記実行するデバイス内に存在するかを決定し、
（ｃ）前記決定が疑わしい弱点を示すとき、
（ｉ）前記疑わしい弱点に対応し、かつ、前記実行するデバイスとの互換性を有する少なくとも１つのソフトウェア対策を複数のソフトウェア対策から選択し、
（ｉｉ）前記実行するデバイスに、前記選択された対策を呼び出すよう命令することによって、前記疑わしい弱点の影響を軽減し、
（ｉｉｉ）前記暗号化されたオーディオビジュアルコンテンツをデコードし、前記デコードは、前記対策の成功したオペレーションによって生じた結果を含み、および、
（ｄ）前記決定が疑わしい弱点を示さないとき、前記実行するデバイスに関連付けられた少なくとも１つの暗号化キーを使用して導出された少なくとも１つの復号化キーを使用して、前記オーディオビジュアルコンテンツをデコードする
ように構成されることを特徴とするデジタル光ディスクメディア。
【請求項６】
前記プログラムロジックは、前記複数のデバイスアーキテクチャに共通のインタープリタ内で実行するように構成され、前記選択された対策のうち少なくとも一部は、前記実行するデバイスに関連するマイクロプロセッサにおいてネイティブコードとして直接的に実行されるように構成されることを特徴とする請求項５に記載のデジタル光ディスクメディア。
【請求項７】
前記デジタル光ディスクメディアは、前記ネイティブコード部分を認証するデジタル署名をさらに含むことを特徴とする請求項５に記載のデジタル光ディスクメディア。
【請求項８】
不揮発性メモリを含む再生デバイスが、デジタル光ディスクメディアを使用するための許可が失効しているかどうかを判断することを可能にするための自動化された方法であって、
（ａ）メディア識別子をデジタル光ディスクメディアから読み取るステップと、
（ｂ）前記メディア識別子が、不揮発性メモリ内に格納された失効リスト内に示されないことを検証するステップと、
（ｃ）前記メディア識別子を、前記不揮発性メモリ内に含まれる再生履歴内に格納するステップと、
（ｄ）失効したメディア識別子のリストを前記デジタル光ディスクメディアから読み取るステップと、
（ｅ）前記再生履歴内に示され、かつ、読み取られた失効したメディア識別子の前記リスト上でも示される、任意の識別子を示すステップと、
（ｆ）前記任意の示されたメディア識別子を、前記不揮発性メモリ内に含まれる前記失効リストに追加するステップと
を備えたことを特徴とする方法。
【請求項９】
前記検証するステップで、前記メディア識別子が前記失効リスト内に示されると判断されるとき、前記デジタル光ディスクメディア上に含まれる暗号化されたオーディオビジュアルコンテンツの再生は防止されることを特徴とする請求項８に記載の方法。
【請求項１０】
前記検証するステップで、前記メディア識別子が前記失効リスト内に示されると判断されるとき、前記デジタル光ディスクメディア上に含まれる暗号化されたオーディオビジュアルコンテンツの再生は低下した品質で実行されることを特徴とする請求項８に記載の方法。
【請求項１１】
コンピュータ読取り可能なメモリ内に格納されたソフトウェアの一部分が、不揮発性メモリの一部分にアクセスすることを可能にすべきであるかどうかを判定するための自動化された方法であって、
（ａ）前記ソフトウェアの一部分への参照を受信するステップと、
（ｂ）前記ソフトウェアの一部分の暗号化ハッシュを計算するステップと、
（ｃ）前記計算された暗号化ハッシュと、前記不揮発性メモリ内に格納された値とを比較するステップと、
（ｄ）前記計算された暗号ハッシュが前記格納された値と合致するとき、前記ソフトウェアの一部分が前記不揮発性メモリの一部分にアクセスすることを可能にするステップと、
（ｅ）前記計算された暗号ハッシュが前記格納された値と合致しないとき、前記ソフトウェアの一部分が前記不揮発性メモリにアクセスすることを可能にしないステップと
を備えたことを特徴とする方法。
【請求項１２】
前記プログラムロジックは、該プログラムロジックを実行する前記デバイスのメーカ、モデル、およびバージョンのうちの少なくとも１つを暗号認証するようにさらに構成されることを特徴とする請求項５に記載のデジタル光ディスクメディア。
【請求項１３】
前記プログラムロジックは、前記デバイスの少なくとも１つの特性として、前記デバイスが、該デバイスのメーカ、モデル、およびバージョンのうちの少なくとも１つにおけるキーの特性を使用することにより、ブロック暗号オペレーションを実行できるか否かを検証するように構成されることを特徴とする請求項５に記載のデジタル光ディスクメディア。
【請求項１４】
前記プログラムロジックは、少なくとも１つの特性として、無許可のファームウェアが、前記デバイス上に存在するか否かを検証するように構成されることを特徴とする請求項５に記載のデジタル光ディスクメディア。
【請求項１５】
前記プログラムロジックは、ネットワークを介してサーバにアクセスし、かつ、該サーバから、新たな特性を識別するように構成された少なくとも１つのコードを表すデータを受信するように構成され、前記コードは、対策と、失効状況と、コンテンツに関連する支払い情報と、ボーナスコンテンツのダウンロードと、広告のダウンロードとを実装していることを特徴とする請求項５に記載のデジタル光ディスクメディア。
【請求項１６】
前記プログラムロジックは、前記デバイスのメモリの一部分を検索することによって、特性を識別するように構成されることを特徴とする請求項５に記載のデジタル光ディスクメディア。
【請求項１７】
前記プログラムロジックは、前記デバイスの不揮発性ストレージにアクセスすることによって、特性を識別するように構成されることを特徴とする請求項５に記載のデジタル光ディスクメディア。
【請求項１８】
前記プログラムロジックは、ビデオデータストリームに修正を適用することによって、ビデオを再生できるようにさらに構成されることを特徴とする請求項５に記載のデジタル光ディスクメディア。
【請求項１９】
前記プログラムロジックは、前記修正が適用されたときに、オーディオビジュアルコンテンツを、再生環境に関連付けられた埋め込み式フォレンシック情報に変更するようにさらに構成されることを特徴とする請求項１８に記載のデジタル光ディスクメディア。